(57)【要約】【課題】  境界設定されたチャプタに少ない操作で任意のチャプタ名を付与する。【解決手段】  録画処理部１５０ｂによる、通常の録画処理を行いながらチャプタ分割処理も行う録画処理によって区分けされた番組本編部分であるチャプタに対して付与するチャプタ名が、チャプタ名管理部１５０ｅによって番組のジャンル名に対応して登録され、登録されたチャプタ名が番組本編部であるチャプタに付与される。さらには、再生処理部１５０ａによって、同じチャプタ名が付与された複数のチャプタが順次再生され、また、それらのチャプタの再生順序が示されるプレイリストがプレイリスト作成部１５０ｇによって作成される。【選択図】      図１
2010123204.tif 000002
【特許請求の範囲】
【請求項１】
属性情報を伴う映像コンテンツを所定条件に基づいて連続する複数の分割領域に区分けして録画する録画手段と、
前記属性情報に対応させた前記複数の分割領域のチャプタ名を任意に登録することをユーザに許可するチャプタ名登録手段と、
前記複数の分割領域それぞれに関連付けられたサムネイルと前記チャプタ名とを一覧表示する表示手段と、
を具備することを特徴とする映像記録再生装置。
【請求項２】
録画された前記映像コンテンツの複数の分割領域に対して、登録されたチャプタ名を付与するチャプタ名付与手段を具備することを特徴とする請求項１記載の映像記録再生装置。
【請求項３】
前記チャプタ名が登録されている状態で、前記映像コンテンツを録画するとき、
前記チャプタ名付与手段は、当該チャプタ名を当該映像コンテンツの複数の分割領域に付与することを特徴とする請求項２記載の映像記録再生装置。
【請求項４】
前記チャプタ名が付与された映像コンテンツが録画されている状態で、前記映像コンテンツと同じ属性情報を伴う新たな映像コンテンツを録画するとき、
前記チャプタ名付与手段は、当該チャプタ名に識別番号を付け足した新たなチャプタ名を付与することを特徴とする請求項３記載の映像記録再生装置。
【請求項５】
前記属性情報は、映像コンテンツのジャンル名であることを特徴とする請求項１記載の映像記録再生装置。
【請求項６】
前記チャプタ名登録手段は、前記属性情報から引用したチャプタ名を選択的に提示することを特徴とする請求項１記載の映像記録再生装置。
【請求項７】
前記複数の分割領域の中からチャプタ名が同一のものを所定の順序で順次再生する再生手段を具備することを特徴とする請求項１記載の映像記録再生装置。
【請求項８】
前記複数の分割領域の再生順序を示すプレイリストを作成するプレイリスト作成手段を具備し、
前記再生手段は、前記プレイリストに基づいて順次再生することを特徴とする請求項７記載の映像記録再生装置。
【請求項９】
属性情報を伴う映像コンテンツを所定条件に基づいて連続する複数の分割領域に区分けして録画し、
前記属性情報に対応させた前記複数の分割領域のチャプタ名を任意に登録することをユーザに許可し、
前記複数の分割領域それぞれに関連付けられたサムネイルと前記チャプタ名とを一覧表示する、
ことを特徴とする映像記録再生方法。
【請求項１０】
録画された前記映像コンテンツの複数の分割領域に対して、登録されたチャプタ名を付与することを特徴とする請求項９記載の映像記録再生方法。
【請求項１１】
前記チャプタ名が登録されている状態で、前記映像コンテンツを録画するとき、
当該チャプタ名を当該映像コンテンツの複数の分割領域に付与することを特徴とする請求項１０記載の映像記録再生方法。
【請求項１２】
前記チャプタ名が付与された映像コンテンツが録画されている状態で、前記映像コンテンツと同じ属性情報を伴う新たな映像コンテンツを録画するとき、
当該チャプタ名に識別番号を付け足した新たなチャプタ名を付与することを特徴とする請求項１１記載の映像記録再生方法。
【請求項１３】
前記複数の分割領域の中からチャプタ名が同一のものを所定の順序で順次再生することを特徴とする請求項９記載の映像記録再生装置。
【請求項１４】
前記複数の分割領域の再生順序を示すプレイリストを作成し、
前記プレイリストに基づいて順次再生することを特徴とする請求項１３記載の映像記録再生装置。
【発明の詳細な説明】
【技術分野】
【０００１】
本発明は、映像コンテンツを記録して再生する映像記録再生装置および映像記録再生方法に係り、特に、記録が予定されている映像コンテンツのジャンルなど属性情報に対応するチャプタ名を任意に付与する映像記録再生装置および映像記録再生方法に関する。
【背景技術】
【０００２】
近年、ＤＶＤレコーダやＨＤＤ（Hard  Disc  Drive；ハードディスクドライブ；以下ＨＤＤと称する）を備えたテレビジョン受像機など、様々なジャンルの映像コンテンツを録画したり、再生したり、さらには録画したコンテンツを再生したりする映像記録再生装置においては、映像コンテンツを再生しながら、または録画しながら、画面切替部検出などの画像分析や無音部検出などの音声分析を行って、自動的に画像分割点を設けて、対象となる映像コンテンツを複数のチャプタに区分けするチャプタ分割の機能を備えたものもある。
【０００３】
例えば、特許文献１によれば、チャプタ境界を設定する任意のポイントでリモコンのボタンが押されることで、そのボタンに割りあてられたチャプタ名を、境界設定されたチャプタに自動的に付与する手法が公開されている。
【特許文献１】特開２００６−０１２２００号公報 （図６  段落００６８−００７２）
【発明の開示】
【発明が解決しようとする課題】
【０００４】
ところが特許文献１によれば、付与するチャプタ名は所定の文字列の中から選択し、また、チャプタ境界はリモコンのボタンによりユーザによって設定される形態であったので、境界設定されたチャプタに少ない操作で任意のチャプタ名を付与することは困難であった。
【０００５】
そこで、本発明は上述した課題を解決するために、録画する映像コンテンツの属性情報に対応させたチャプタ名を登録し、チャプタ分割を行いながら録画し、分割されたチャプタに対して、登録されたチャプタ名を付与する映像記録再生装置および映像記録再生方法を提供する。
【課題を解決するための手段】
【０００６】
本発明は上述した課題を解決するため、属性情報を伴う映像コンテンツを所定条件に基づいて連続する複数の分割領域に区分けして録画する録画手段と、前記属性情報に対応させた前記複数の分割領域のチャプタ名を任意に登録することをユーザに許可するチャプタ名登録手段と、前記複数の分割領域それぞれに関連付けられたサムネイルと前記チャプタ名とを一覧表示する表示手段と、を具備することを特徴とするものである。
【０００７】
また本発明は上述した課題を解決するため、録画された前記映像コンテンツの複数の分割領域に対して、登録されたチャプタ名を付与するチャプタ名付与手段を具備することを特徴とするものである。
【０００８】
また本発明は上述した課題を解決するため、前記チャプタ名が登録されている状態で、前記映像コンテンツを録画するとき、前記チャプタ名付与手段は、当該チャプタ名を当該映像コンテンツの複数の分割領域に付与することを特徴とするものである。
【０００９】
また本発明は上述した課題を解決するため、前記チャプタ名が付与された映像コンテンツが録画されている状態で、前記映像コンテンツと同じ属性情報を伴う新たな映像コンテンツを録画するとき、前記チャプタ名付与手段は、当該チャプタ名に識別番号を付け足した新たなチャプタ名を付与することを特徴とするものである。
【００１０】
また本発明は上述した課題を解決するため、前記属性情報は、映像コンテンツのジャンル名であることを特徴とするものである。
また本発明は上述した課題を解決するため、前記チャプタ名登録手段は、前記属性情報から引用したチャプタ名を選択的に提示することを特徴とするものである。
また本発明は上述した課題を解決するため、前記複数の分割領域の中からチャプタ名が同一のものを所定の順序で順次再生する再生手段を具備することを特徴とするものである。
【００１１】
また本発明は上述した課題を解決するため、前記複数の分割領域の再生順序を示すプレイリストを作成するプレイリスト作成手段を具備し、前記再生手段は、前記プレイリストに基づいて順次再生することを特徴とするものである。
【００１２】
また本発明は上述した課題を解決するため、属性情報を伴う映像コンテンツを所定条件に基づいて連続する複数の分割領域に区分けして録画し、前記属性情報に対応させた前記複数の分割領域のチャプタ名を任意に登録することをユーザに許可し、前記複数の分割領域それぞれに関連付けられたサムネイルと前記チャプタ名とを一覧表示することを特徴とするものである。
【００１３】
また本発明は上述した課題を解決するため、録画された前記映像コンテンツの複数の分割領域に対して、登録されたチャプタ名を付与することを特徴とするものである。
【００１４】
また本発明は上述した課題を解決するため、前記チャプタ名が登録されている状態で、前記映像コンテンツを録画するとき、当該チャプタ名を当該映像コンテンツの複数の分割領域に付与することを特徴とするものである。
【００１５】
また本発明は上述した課題を解決するため、前記チャプタ名が付与された映像コンテンツが録画されている状態で、前記映像コンテンツと同じ属性情報を伴う新たな映像コンテンツを録画するとき、当該チャプタ名に識別番号を付け足した新たなチャプタ名を付与することを特徴とするものである。
【００１６】
また本発明は上述した課題を解決するため、前記複数の分割領域の中からチャプタ名が同一のものを所定の順序で順次再生することを特徴とするものである。
また本発明は上述した課題を解決するため、前記複数の分割領域の再生順序を示すプレイリストを作成し、前記プレイリストに基づいて順次再生することを特徴とするものである。
【発明の効果】
【００１７】
本発明によれば、録画する映像コンテンツの属性情報に対応させたチャプタ名を登録し、チャプタ分割を行いながら録画し、分割されたチャプタに対して登録されたチャプタ名を付与するので、少ない操作で任意のチャプタ名を付与することができる。
【発明を実施するための最良の形態】
【００１８】
以下、本発明における実施形態について図面を用いて説明する。
本発明による実施形態として、映像記録再生装置であるＤＶＤレコーダにおける本発明の特徴である、録画するコンテンツのジャンルに対応するチャプタ名登録処理の一実施形態、区分けされた番組本編部分であるチャプタに対してチャプタ名を付与するチャプタ名付与処理の一実施形態、同じチャプタ名が付与された複数のチャプタを順次再生する同名チャプタ再生処理の一実施形態について、図を用いて説明する。
【００１９】
まず図１は、本発明の一実施形態を示す、映像記録再生装置であるＤＶＤレコーダの主要な構成要素を示す構成図であり、以下に詳細を説明する。
ＤＶＤレコーダ１０は、ＨＤＤやメモリカードなどに録画された映像コンテンツや、ＣＤやＤＶＤに保存された映像コンテンツを再生するプレーヤ機能や、テレビ放送番組などの映像コンテンツをＨＤＤや記録用光ディスクなどの記録媒体に記録するレコーダ機能を有している。
【００２０】
なお、以下で説明する映像記録再生装置はＤＶＤレコーダだけでなく、以上で説明したプレーヤ機能やレコーダ機能を有するＨＤＤレコーダやテレビジョン受像機、コンピュータ装置、携帯型情報処理端末等であってもよい。
【００２１】
まず、プレーヤ機能とレコーダ機能の動作の詳細を説明する。
ＤＶＤレコーダ１０のユーザは、操作部１３０やリモコンＲＣへの操作入力によって、所望の信号源や放送チャンネルなどの選択を行い、任意の映像コンテンツの再生や記録の処理を制御することができる。
【００２２】
すなわち、選択された信号源や放送チャンネルなどの操作入力の情報は、操作部１３０からの信号または、リモコンＲＣからの信号を受信部１３１で受信した信号として、データ制御バス１５１を介して制御部１５０へ出力される。そして、出力された信号に応じた制御が行われて、ユーザ所望の映像コンテンツが再生されたり記録されたりする。またＤＶＤレコーダ１０の動作状況などの情報は表示部１３２に表示される。
【００２３】
ところで制御部１５０は、図示していないＣＰＵや、ＣＰＵがＤＶＤレコーダ１０を制御するために実行するプログラム記憶のためのＲＯＭや、ＣＰＵのワークメモリとして利用されるＲＡＭなどで構成される。
【００２４】
すなわち本実施形態においては、録画されたテレビ放送番組などを再生する再生処理部１５０ａや、テレビ放送番組などを録画する録画処理部１５０ｂ、番組視聴や番組録画などの動作を予約する動作予約部１５０ｃ、映像や音声データとともに放送波に含まれて送信されるデータから番組のジャンルやタイトルなどの番組情報を抽出する番組情報抽出部１５０ｄ、録画する番組のジャンルに対応するチャプタ名を登録したり、所定のチャプタ名を抽出したり、チャプタ名を付与したりするチャプタ名管理部１５０ｅ、録画したテレビ放送番組やその番組内のチャプタなどを一覧で表示するコンテンツ一覧表示部１５０ｆ、録画したテレビ放送番組やその番組内のチャプタなどの再生順序が示されるプレイリストを作成するプレイリスト作成部１５０ｇなどを備えていて、これらは、前述したＣＰＵやＲＯＭ、ＲＡＭなどを利用することで実現される。
【００２５】
そして、デジタルチューナ部１０１は、アンテナＡＴｄが受信したデジタル放送信号を受け、制御部１５０によって設定された所望のチャンネルの放送信号を選局して復調・復号部１０４へ出力する。そして復調・復号部１０４はデジタルチューナ部１０１で選局された放送信号に対して、放送波種別ごとに必要となる復調や復号の処理を行い、信号処理部１０８へ信号データを出力する。
【００２６】
またアナログチューナ部１０２は、アンテナＡＴａが受信したアナログ放送信号を受け、制御部１５０によって設定された所望のチャンネルの放送信号を選局して復調部１０５へ出力する。そして復調部１０５は、アナログチューナ部１０２で選局された放送信号に対して復調処理を行いセレクタ１０６へ信号データを出力する。
【００２７】
さらに、ＡＶ入力部１０３から入力される外部装置からのアナログ映像音声信号データと、復調部１０５から出力される信号データは、セレクタ１０６に入力され、制御部１５０からの制御信号により一方が選択されてＡＤＣ部１０７へ出力される。そしてＡＤＣ部１０７は、入力されたアナログ信号をデジタル信号へ変換して信号処理部１０８へ出力する。
【００２８】
外部ＩＦ部１４０は、ＬＡＮなどによる外部ネットワーク接続部や、ｉ．ＬＩＮＫ規格やＵＳＢ規格に基づいた外部装置接続部、メモリカードを接続するためのカード接続部などであり、それぞれに接続されたネットワークや外部装置などに接続し、データ制御バス１５１を通して映像コンテンツデータをやりとりすることが可能である。
【００２９】
なおデジタルチューナ部１０１やアナログチューナ部１０２、ＡＶ入力部１０３、外部ＩＦ部１４０は、それぞれ複数備えている形態であってもよい。
そして信号処理部１０８は、制御部１５０によって制御されて、前述したＡＤＣ部１０７から入力された信号に対してＭＰＥＧ符号化演算処理を行ったり、前述した復調・復号部１０４やデータ制御バス１５１を介して映像コンテンツデータを取得可能な各部から入力された信号に対してＭＰＥＧ復号化演算処理を行って映像処理部１１０や音声処理部１１２へ信号を出力したり、さらに本実施形態においては、番組情報抽出部１５０ｄの制御の下で、入力された信号に含まれるジャンル名などの番組情報を抽出したり、文字情報などのデータを抽出したりして、データ制御バス１５１を介して制御部１５０へ出力し、出力されたデータはＲＡＭなどに記憶されたりする。
【００３０】
またＯＳＤ信号生成部１０９は、制御部１５０によって制御されて、信号処理部１０８から出力された映像信号と併せて映像処理部１１０へＯＳＤ信号を生成して出力する。本実施形態においては、チャプタ名管理部１５０ｅによる制御の下、ユーザが番組のジャンルに対応するチャプタ名を登録するための画面や、コンテンツ一覧表示部１５０ｆによる制御の下、録画したテレビ放送番組や、その番組内のチャプタなどを一覧で表示する画面などをＯＳＤ画面として生成して出力する。
【００３１】
なおＤＶＤレコーダ１０に備えられたＨＤＤ１１５や、光ディスクドライブ１１６に装着された光ディスクＯＤなどに保存されているデータは、制御部１５０による制御の下に、データ転送制御部１１４でそのデータの転送を制御されながら読み出され、信号処理部１０８でＭＰＥＧ復号化演算処理がなされて映像処理部１１０や音声処理部１１２へ映像音声信号となって出力される。
【００３２】
すなわち前述した、記録装置や記録媒体に保存されたテレビ放送番組などの映像コンテンツのデータを読み出して、適切な信号処理を行って映像音声信号を出力する機能がプレーヤ機能である。
【００３３】
さらに信号処理部１０８内部で生成された、記録装置または記録媒体に記録するための信号は、制御部１５０による制御の下に、データ転送制御部１１４でそのデータの転送を制御されながら、ＤＶＤレコーダ１０に備えられた記録装置であるＨＤＤ１１５や、光ディスクドライブ１１６に装着された記録媒体である記録用光ディスクＯＤなどに記録される。
【００３４】
すなわち前述した、テレビ放送番組などの映像コンテンツのデータを、適切な信号処理を行って記録装置や記録媒体へ記録（保存）する機能がレコーダ機能である。
なお記録装置や記録媒体として利用されるのは、ＨＤＤ１１５や光ディスクＯＤだけでなく、前述した外部ＩＦ部１４０に接続された図示していないＨＤＤや、メモリカードなどを利用することも可能である。
【００３５】
さらに前述した信号処理部１０８から出力された音声信号は、制御部１５０の制御によって、アナログ信号やヘッドフォン出力信号、またはデジタル信号や光デジタル信号などに音声処理部１１２で変換されて、音声出力部１１３へ出力される。
【００３６】
そして音声出力部１１３は、図示していない外部接続された、アナログやデジタルの音声入力部を備えたテレビジョン受像機やＡＶアンプなどへ接続するための外部装置接続部であり、また音声信号出力部である。
【００３７】
また前述した信号処理部１０８から出力された映像信号は、制御部１５０の制御によって、アナログ信号やデジタル信号などに映像処理部１１０で変換されて、映像出力部１１１へ出力される。
【００３８】
そして映像出力部１１１は、図示していない外部接続された、アナログやデジタルの映像入力部を備えたテレビジョン受像機やＡＶアンプなどへ接続するための外部装置接続部であり、また映像信号出力部である。
【００３９】
次に、本実施形態における、録画するコンテンツのジャンル名に対応するチャプタ名を登録するジャンル対応チャプタ名登録処理の一実施形態の詳細を、図２、図８を用いて説明する。
【００４０】
図２は、ジャンル対応チャプタ名登録処理における、チャプタ名をユーザに入力させて登録する画面の一実施形態を示す図である。
チャプタ名登録画面２００には、画面左側に、設定１から設定５までの設定パターンが画面上部から昇順で表示されている。そして、その右隣には、それら個々の設定パターンに対応するように、番組情報抽出部１５０ｄによって抽出された録画する番組のジャンル名や、対応するチャプタ名が既に登録されているジャンル名を表示するエリア２１０が設けられる。さらに、その右隣には、ジャンル名に対応するチャプタ名を表示するエリア２２０が設けられていて、すなわち、設定１から設定５までの設定パターンそれぞれに対応するジャンル名とチャプタ名が一対表示されている。なお、表示形態は本実施形態に限ったものではない。
【００４１】
図８は、チャプタ名登録処理の一実施形態の手順を示すフローチャートである。
本実施形態によるＤＶＤレコーダ１０のユーザが、操作部１３０やリモコンＲＣへの操作入力によって、録画処理予約メニューで、所望の信号源や放送チャンネル、録画の開始時刻や終了時刻などの録画条件を設定した場合に、動作予約部１５０ｃは、図示していない時刻を管理するブロックによる時刻情報を参照しながら、設定された録画条件で録画処理部１５０ｂに録画処理を行わせる、いわゆる予約録画動作を行わせることができる。
【００４２】
なお、本実施形態における録画処理部１５０ｂによる録画処理は、通常の録画処理を行いながら、録画している映像コンテンツの映像信号や音声信号の分析などを行うことで、番組本編部分とコマーシャル部分との境界を複数検出して、複数検出した境界でチャプタ分割処理も行う録画処理である。
【００４３】
さらに、録画処理に伴うチャプタ分割処理によって区分けされた番組本編部分であるチャプタに対して付与するチャプタ名を、録画対象の番組放送のジャンル名に対応させてあらかじめ登録しておくことが可能である。
【００４４】
そして、前述の予約録画動作を行わせる手順において、録画条件設定の一部として、ジャンル名に対応するチャプタ名登録処理の実行が選択された場合、番組情報抽出部１５０ｄによって、録画される番組のジャンル名が抽出され（Ｓ８０１）、さらにチャプタ名管理部１５０ｅによって、チャプタ名登録画面２００がＯＳＤ信号生成部１０９で生成されて映像出力部１１１から出力され、外部装置の表示器の最前面に表示される（Ｓ８０２）。
【００４５】
また、本実施形態では、設定１から設定５までの５つの設定パターンを表示しているが、表示する設定パターン数は限定されるものではなく、いくつ表示されていてもよい。さらには、設定１から設定５までが一覧表示される本実施形態の場合においても、設定６以降が次項で表示される表示階層としてもよく、その場合は、次項画面を表示させるボタンを操作部１３０やリモコンＲＣに設けるか、画面上で選択可能に頁送りボタンを設ける実施形態であってもよい。
【００４６】
さらに、ユーザは、操作部１３０やリモコンＲＣへの操作入力によって、チャプタ名登録画面２００上の、設定１から設定５それぞれに対応する、ジャンル名とチャプタ名の中から、任意に１つの項目を選択することができる。
【００４７】
そして、選択された項目がジャンル名を表示するエリア２１０内の項目であった場合（Ｓ８０３のＹ）は、番組情報抽出部１５０ｄで抽出された録画される番組のジャンル名が強調された、ＡＲＩＢ規格に準拠した複数のジャンル名（ジャンル名を意味するキャラクタであってもよい）が変更可能に一覧表示され（Ｓ８０４）、ユーザは、操作部１３０やリモコンＲＣへの操作入力によって、任意に一つのジャンル名（もしくはキャラクタ）を選択することができる（Ｓ８０５）。選択操作入力がなされると、複数のジャンル名を選択的に表示する画面は出力されなくなり（Ｓ８０６）、再びチャプタ名登録画面２００が最前面に表示されて、選択されていた項目に選択されたジャンル名が設定される。
【００４８】
なお、番組情報抽出部１５０ｄによって、録画される番組のジャンル名が抽出できなかった場合でも、任意のジャンル名が強調された、ＡＲＩＢ規格に準拠した複数のジャンル名を変更可能に一覧表示する実施形態でもよい。
【００４９】
具体的には、ジャンル名が「音楽」である番組が録画されるときに、チャプタ名登録画面２００上の設定２に対応するジャンル名エリアの項目を選択した場合、一覧表示された複数のジャンル名の中から、録画される番組のジャンル名である「音楽全般」が強調表示されているが、ユーザの操作入力により「海外ロック・ポップス」が選択されて、その結果、チャプタ名登録画面２００上のジャンル名エリアの設定３に対応する項目には、「海外ロック・ポップス」というジャンル名が設定される。
【００５０】
なお、これまでは、初めにジャンル名を設定する処理を説明したが、その処理を省略すること（Ｓ８０３のＮ）も可能であり、その場合は、チャプタ名を設定する処理に移行する。
【００５１】
そして、ジャンル名が設定されると、そのジャンル名に対応したチャプタ名を表示するエリア２２０内の項目が強調され、強調された項目のチャプタ名を設定することが決定される（Ｓ８０７のＹ）と、その項目にチャプタ名を入力するために利用される新たな画面が出力される（Ｓ８０８）。この画面を利用して、ユーザは、さらに操作部１３０やリモコンＲＣへの操作入力によって、ひらがなやカタカナ、英字、数字、記号などの入力文字候補の一覧から任意の文字や記号を選択してチャプタ名を入力することができる（Ｓ８０９）。
【００５２】
なお、入力文字候補としては上記以外にも、半角／全角の選択や、番組情報抽出部１５０ｄで抽出した、録画する番組のタイトルや出演者名、ジャンル名などが利用できる形態であってもよい。
【００５３】
チャプタ名の入力が完了すると、チャプタ名を入力するための画面は出力されなくなり（Ｓ８１０）、再びチャプタ名登録画面２００が最前面に表示されて、選択されていた項目に入力されたチャプタ名が設定される。
【００５４】
具体的には、チャプタ名登録画面２００上のチャプタ名エリアの設定２に対応する項目に、「６０年代★英国」という文字と記号からなるチャプタ名が入力されて設定される。
【００５５】
このときさらに、チャプタ名管理部１５０ｅによって、選択されたジャンル名とそのジャンル名に対応して入力されたチャプタ名の組み合わせは、設定パターン番号が付与されてＨＤＤ１１５などに登録（保存）され（Ｓ８１１）、チャプタ名登録画面２００は出力されなくなり（Ｓ８１２）、ジャンル対応チャプタ名登録処理は終了する。
【００５６】
なお、チャプタ名を設定する処理が省略すること（Ｓ８０７のＮ）も可能であり、その場合も、ジャンル対応チャプタ名登録処理は終了する。
ところで、本実施形態で説明した構成のＤＶＤレコーダ１０のユーザはさらに、操作部１３０やリモコンＲＣへの操作入力によって、所望の信号源や放送チャンネルなどの選択を行ってから、録画を開始する操作入力によって、録画処理部１５０ｂによる録画処理を行わせる、いわゆる通常録画動作を行わせることができる。
【００５７】
また、通常録画動作の一連の処理とは別に、録画処理部１５０ｂによる録画処理に付随する機能をあらかじめ設定することで、録画する番組のジャンル名に対応するチャプタ名登録処理を行うことができる。
【００５８】
上記録画処理に付随する機能をあらかじめ設定する際に、チャプタ名登録処理の実行が選択された場合、チャプタ名登録画面２００がＯＳＤ信号生成部１０９で生成されて映像出力部１１１から出力され、外部装置の表示器の最前面に表示される。
【００５９】
チャプタ名登録画面２００の表示内容や、その画面を利用したジャンル名やチャプタ名の登録処理の内容は、前述したものと同様であるが、通常録画動作におけるあらかじめ設定する機能としてのチャプタ名登録処理では、複数のジャンル名を選択的に表示する画面が初めて出力されたときには、任意のジャンル名が強調される。
【００６０】
次に、本実施形態における、録画処理に伴うチャプタ分割処理によって区分けされた番組本編部分であるチャプタに対してチャプタ名を付与するチャプタ名付与処理の一実施形態の詳細を、図３、図４、図９を用いて説明する。
【００６１】
図９は、チャプタ名付与処理の一実施形態の手順を示すフローチャートである。
前述したとおり、本実施形態における録画処理部１５０ｂによって録画された番組は、番組本編部分とコマーシャル部分とに区分けされる。そして、区分けされたコマーシャル部分には「ＣＭ」というチャプタ名が付与され、番組本編部分には、チャプタ名登録処理によって登録されたチャプタ名または、登録されたチャプタ名に識別記号を付け足した新たなチャプタ名が付与される。
【００６２】
すなわち、録画処理部１５０ｂによる録画によって区分けされたチャプタに対して付与予定のチャプタ名がチャプタ名管理部１５０ｅで記憶されていて（Ｓ９０１）、付与予定のチャプタ名が、既に録画された番組のチャプタに対して付与されていることが検出されなかった場合（Ｓ９０２のＮ）は、記憶しているチャプタ名を番組本編部分に付与する（Ｓ９０５）。一方、既に録画された番組のチャプタに対して付与されていることが検出された場合（Ｓ９０２のＹ）は、さらにチャプタ名管理部１５０ｅは、その番組のタイトルがチャプタ名付与予定の番組のタイトルと同じであるかを判断し、同じである場合（Ｓ９０３のＹ）は、記憶しているチャプタ名を番組本編部分に付与する（Ｓ９０５）。ところが、タイトルが異なる場合（Ｓ９０３のＮ）は、付与予定のチャプタ名に識別記号を付け足した新たなチャプタ名を記憶し（Ｓ９０４）、そして新たに記憶されたチャプタ名を付与する（Ｓ９０５）。
【００６３】
図３は、チャプタ名付与処理によってチャプタ名が付与された番組内のチャプタ一覧画面の一実施形態を示す図である。
チャプタ一覧表示画面３００には、一覧表示されているチャプタが含まれる番組のタイトルとともにその番組を識別する識別番号が表示される番組タイトル表示エリア３１０、当該番組のジャンル名が表示されるジャンル名表示エリア３２０が設けられている。なお、ここで表示されるジャンル名は、当該番組が録画されるときにチャプタ名登録処理によって登録されたジャンル名である。また、各チャプタのサムネイル、チャプタ名、チャプタ番号が表示される方形のチャプタ表示枠が一覧表示されるチャプタ一覧表示エリア３３０では、選択されているチャプタ表示枠の外枠が強調表示される。さらに、チャプタ一覧表示エリア３３０内で選択されているチャプタのチャプタ名、チャプタ番号が表示されるチャプタ名表示エリア３４０が設けられている。なお、表示形態は本実施形態に限ったものではない。
【００６４】
すなわち、本実施形態によるＤＶＤレコーダ１０のユーザが、操作部１３０やリモコンＲＣへの操作入力によって、録画処理によって録画された番組内のチャプタを一覧表示する画面を出力させる操作入力がなされると、図３に示すチャプタ一覧表示画面３００が、コンテンツ一覧表示部１５０ｆによって制御されて、ＯＳＤ信号生成部１０９で生成されて映像出力部１１１から出力される。
【００６５】
図４は、チャプタ名付与処理によって付与されたチャプタ名を示す表である。
具体的には、チャプタ名登録処理によって、設定３に対応するジャンル名が「スポーツ全般」に、チャプタ名「●野球○」が登録された場合に、前述した条件に基づいてチャプタ名付与処理によって付与されるチャプタ名は、初めに録画された番組タイトル「野球  ＡＢＣリーグ」のチャプタには、チャプタ名「●野球○」が付与される。しかし、２つ目に録画された番組タイトル「野球  ＬＭＮリーグ」は、チャプタ名「●野球○」が既に付与された番組があって、「野球  ＡＢＣリーグ」とはタイトルが異なるので、チャプタ名「●野球○」＋識別子「２」である「●野球○２」が付与される。同様に、３つ目に録画された番組タイトル「野球  ＡＢＣリーグ」には、チャプタ名「●野球○」、４回目に録画された番組タイトル「高校野球  決勝戦」には、チャプタ名「●野球○３」がそれぞれ付与される。
【００６６】
ところで、これまでの説明では、ジャンル対応チャプタ名登録処理を行ってから、録画処理を行い、その後にチャプタ名付与処理、同名チャプタ再生処理などを行う手順であったが、チャプタ名付与処理が行われてから、再びチャプタ名付与処理が行われてもよい。
【００６７】
すなわち、番組のジャンルに対応したチャプタ名が付与されているコンテンツが録画されてＨＤＤ１１５などに保存されている状態で、その番組のジャンル名と同一ジャンル名に対して、それまで付与されていたチャプタ名と異なる新たなチャプタ名が、ジャンル対応チャプタ名登録処理によって登録されていた場合に、ＤＶＤレコーダ１０のユーザは、操作部１３０やリモコンＲＣへの操作入力によって、チャプタ名付与処理を行わせ、新たなチャプタ名を付与することができる。
【００６８】
次に、本実施形態における、同じチャプタ名が付与された複数のチャプタを順次再生する同名チャプタ再生処理の一実施形態の詳細を、図５、６、７、１０を用いて説明する。
【００６９】
図５は、フォルダ構造で管理された録画された番組一覧表示画面の一実施形態を示す図である。
番組一覧表示画面５００には、一覧表示対象の録画された番組が管理されているフォルダ名を表示するフォルダ名表示エリア５１０、そのエリアに表示されているフォルダ内に管理されている録画された複数の番組を一覧表示する番組一覧表示エリア５２０、表示された複数の番組のうち選択された番組の番組番号、番組名を表示する番組名表示エリア５３０、などが設けられる。なお、表示形態は本実施形態に限ったものではない。
【００７０】
図６は、録画された番組が管理されているフォルダ一覧表示画面の一実施形態を示す図である。
フォルダ一覧表示画面６００には、一覧表示対象のフォルダが保存されている保存部表示エリア６１０、そのエリアに表示されている保存部に保存された番組が管理されているフォルダを一覧表示するフォルダ一覧表示エリア６２０、表示された複数のフォルダのうち選択されたフォルダ名を表示するフォルダ名表示エリア６３０、などが設けられる。なお、表示形態は本実施形態に限ったものではない。
【００７１】
図１０は、同名チャプタ再生処理の一実施形態の手順を示すフローチャートである。
ＤＶＤレコーダ１０のユーザは、操作部１３０やリモコンＲＣへの操作入力によって、同名チャプタ再生の対象番組や対象番組が管理されているフォルダなどを、番組一覧表示画面５００で一覧表示された、録画された番組の中から選択するか、あるいは、フォルダ一覧表示画面６００で一覧表示された、特定の番組が管理されているフォルダの中から選択する（Ｓ１００１）。
【００７２】
そして、チャプタ名管理部１５０ｅは、選択された番組または、選択されたフォルダの中にある複数の番組のチャプタに付与されているチャプタ名を抽出し、さらに登録されたジャンル対応チャプタ名リストの中から、抽出されたチャプタ名に対応されたジャンル名を抽出する。そして、それら抽出されたチャプタ名とジャンル名の組み合わせを表示したジャンル名チャプタ名表示画面が、ＯＳＤ信号生成部１０９で生成されて映像出力部１１１から出力され、外部装置の表示器の最前面に表示される（Ｓ１００２）。なお、ジャンル名チャプタ名表示画面は、チャプタ名登録画面２００を利用してもよい。
【００７３】
また、チャプタ名管理部１５０ｅによって、複数のチャプタ名とジャンル名の組み合わせが抽出された場合でも、それらは全てジャンル名チャプタ名表示画面に表示されるので、ユーザは、それら複数の組み合わせの中から、対象となるチャプタ名が含まれる組み合わせを１つ特定することができる。すなわち、抽出された全ての組み合わせの中から、同名チャプタ再生の対象となるチャプタ名が含まれる組み合わせが特定される（Ｓ１００３）。
【００７４】
さらに、プレイリスト作成部１５０ｇが、対象となるチャプタ名が付与されたチャプタを所定の順序で再生することを示すプレイリストを作成し（Ｓ１００４）、再生処理部１５０ａが、作成されたプレイリストに基づいて再生対象となるチャプタ名が付与されたチャプタを順次再生する（Ｓ１００５）。
【００７５】
図７は、同名チャプタ再生処理によって生成されたプレイリストによって順次再生されるチャプタ一覧画面の一実施形態を示す図である。
すなわち、（Ｓ１００４）にて作成されたプレイリストによって順次再生されるチャプタ一覧表示画面７００には、そのプレイリストを識別する識別番号とともに、一覧表示されているチャプタの再生順序が示されるプレイリスト名が表示されるプレイリスト名表示エリア７１０、一覧表示されているチャプタのチャプタ名が対応されているジャンル名を表示するジャンル名表示エリア７２０、各チャプタのサムネイル、チャプタ名、チャプタ番号が表示される方形のチャプタ表示枠が一覧表示されるチャプタ一覧表示エリア７３０、チャプタ一覧表示エリア７３０内で選択されているチャプタ名、チャプタ番号が表示されるチャプタ名表示エリア７４０、などが設けられる。
【００７６】
また、プレイリストによって順次再生されるチャプタ一覧表示画面７００で一覧表示されるチャプタ名は、当然であるが同じである。具体的には、本実施形態では、「スポーツ全般」というジャンル名に対応された「●野球○」というチャプタ名が付与されたチャプタが一覧表示される。なお、表示形態は本実施形態に限ったものではない。
【００７７】
以上説明したように本実施形態によれば、録画処理に伴うチャプタ分割処理によって区分けされた番組本編部分であるチャプタに対して、その番組のジャンル名に対応させた、あらかじめ登録されたチャプタ名が付与されるので、コンテンツのジャンルに対応した任意のチャプタ名を少ない操作で付与することができる。さらには、同じチャプタ名が付与された複数のチャプタを所定条件に基づいた順序で順次再生することができる。
【００７８】
また本発明は、上述した実施形態に限定されるものではなく、本発明の要旨を変えない範囲において、種々の変更、改変等が可能である。
【図面の簡単な説明】
【００７９】
【図１】本発明の一実施形態を示す、映像記録再生装置であるＤＶＤレコーダの主要な構成要素を示す構成図。
【図２】ジャンル対応チャプタ名登録処理における、チャプタ名をユーザに入力させて登録する画面の一実施形態を示す図。
【図３】チャプタ名付与処理によってチャプタ名が付与された番組内のチャプタ一覧画面の一実施形態を示す図。
【図４】チャプタ名付与処理によって付与されたチャプタ名を示す表。
【図５】フォルダ構造で管理された録画された番組一覧表示画面の一実施形態を示す図。
【図６】録画された番組が管理されているフォルダ一覧表示画面の一実施形態を示す図。
【図７】同名チャプタ再生処理によって生成されたプレイリストによって順次再生されるチャプタ一覧画面の一実施形態を示す図。
【図８】チャプタ名登録処理の一実施形態の手順を示すフローチャート。
【図９】チャプタ名付与処理の一実施形態の手順を示すフローチャート。
【図１０】同名チャプタ再生処理の一実施形態の手順を示すフローチャート。
【符号の説明】
【００８０】
１０…ＤＶＤレコーダ、１０９…ＯＳＤ信号生成部、１５０ａ…再生処理部、１５０ｂ…録画処理部、１５０ｄ…番組情報抽出部、１５０ｅ…チャプタ名管理部、１５０ｆ…コンテンツ一覧表示部、１５０ｇ…プレイリスト作成部、２００…チャプタ名登録画面、３００…チャプタ一覧表示画面、５００…番組一覧表示画面、６００…フォルダ一覧表示画面、７００…チャプタ一覧表示画面。
【図１】
2010123204.tif 000003
【図２】
2010123204.tif 000004
【図３】
2010123204.tif 000005
【図４】
2010123204.tif 000006
【図５】
2010123204.tif 000007
【図６】
2010123204.tif 000008
【図７】
2010123204.tif 000009
【図８】
2010123204.tif 000010
【図９】
2010123204.tif 000011
【図１０】
2010123204.tif 000012